(57)【特許請求の範囲】
【請求項１】
屈曲部にグロメットが装着されるシールド電線において、
前記グロメット内の編組シールドが剥ぎ取られて電線が露出されるとともに、該露出部分にシールド部材が装着されることを特徴とするシールド電線。
【請求項２】
前記シールド部材が金属箔からなることを特徴とする請求項１記載のシールド電線。
【請求項３】
グロメット内の編組シールドを剥ぎ取って電線を露出させ、該露出部分にシールド部材を装着することを特徴とするシールド電線の屈曲構造のシールド方法。
【発明の詳細な説明】
【０００１】
【発明の属する技術分野】
本発明は電線の外周部にノイズを遮断するためのシールド編組が取付けられたシールド電線に関し、詳しくは、蛇腹部を介して接続される一対のグロメットが装着され、該蛇腹部によって屈曲可能なシールド電線の屈曲構造およびそのシールド方法に関する。
【０００２】
【従来の技術】
一般に、車体の外部と内部を区画するパネルと他のパネル、例えば車体パネルとドアパネルとに跨ってワイヤハーネスを配策するには、パネルとワイヤハーネスが干渉するのを防止するために、各パネルに形成された取付け孔にワイヤハーネスを挿通する際に、各取付け孔の端部とワイヤハーネスが接触するのを防止するとともに、水等が取付け孔とワイヤハーネスの間の隙間からパネル内（室内）に侵入するのを防止するために、両端に各パネルの取付け孔に嵌合する拡径部を設けたグロメットが使用されている。
【０００３】
一方、ワイヤハーネスとしては、複数の電線の外周部に編組シールドを巻付けることにより、ノイズを遮断するようにした、所謂、シールド電線があり、このようなシールド電線を上述のグロメットによって屈曲して配線するものとしては、例えば、図３に示すようなものがある。
【０００４】
図３において、１はシールド電線であり、このシールド電線１は図示しない複数の電線（例えば、線心とドレイン線）の外周部に編組シールド２が巻付けられて構成されており、各電線の端部はコネクタ３に接続されている。
【０００５】
このシールド電線１にはグロメット７が装着されており、その両端には図示しないパネルの取付け孔に嵌合する拡径部４、５が設けられ、図示しないパネルの取付け孔の内周部に嵌合可能な環状凹部４ａ、５ａが形成されている。
【０００６】
このような構成を有するシールド電線１にあっては、グロメット７の拡径部４、５をパネルに取付けて蛇腹部６を屈曲させることにより、蛇腹部６の屈曲動作に追随して屈曲するため、グロメット７の間の部位がパネルに跨がって屈曲して配線される。
【０００７】
【発明が解決しようとする課題】
しかしながら、このようなグロメット７にあっては、拡径部４、５の間の部位がパネルに跨がって屈曲して配線されるため、グロメット７をシールド電線１に取付ける作業時あるいはワイヤハーネスの自動車取付け後のシールド電線１の屈曲動作に伴って編組シールド２の素線同士の摩擦により編組シールド２が切断されてしまうことがあった。
【０００８】
このような不具合が発生するのを防止するためには、コネクタ３から拡径部５の外方部分（図３にＡで示す部分）の編組シールド２を予め剥ぎ取っておくことが考えられるが、このようにすると、シールド電線１のシールド性能（ノイズ対策）が低下してしまうという問題があった。
【０００９】
そこで本発明は、屈曲構造を有するグロメットを装着して任意の部位を屈曲させた場合であってもシールド性能が低下するのを確実に防止することができるシールド電線の屈曲構造およびそのシールド方法を提供することを目的としている。
【００１０】
【課題を解決するための手段】
請求項１記載の発明は、上記課題を解決するために、屈曲部にグロメットが装着されるシールド電線において、前記グロメット内の編組シールドが剥ぎ取られて電線が露出されるとともに、該露出部分にシールド部材が装着されることを特徴とするものである。
【００１１】
その場合、シールド電線の屈曲部がシールド部材で保護されて破断することがないため、シールド性能が低下するのを確実に防止することができる。
【００１２】
請求項２記載の発明は、上記課題を解決するために、請求項１記載の発明において、前記シールド部材が金属箔からなることを特徴としている。
【００１３】
その場合、軽量、かつ安価な金属箔を使用することにより、シールド電線の重量が増大するのを防止することができるとともに、コストが増大するのを防止することができる。
【００１４】
請求項３記載の発明は、上記課題を解決するために、グロメット内の編組シールドを剥ぎ取って電線を露出させ、該露出部分にシールド部材を装着することを特徴としている。
【００１５】
その場合、露出部分にシールド部材を装着してシールド電線をグロメットに確実に取付けることができる。
【００１６】
【発明の実施の形態】
以下、本発明の実施形態を図面に基づいて説明する。
【００１７】
図１、２は本発明に係るシールド電線の一実施形態を示す図である。
【００１８】
まず、構成を説明する。図１、２において、１１はシールド電線であり、このシールド電線１１は複数の電線１２の外周部に編組シールド１３が巻付けられて構成され、電線の端部はコネクタ１４に接続されている。なお、シールド電線１１としては、この複数の電線からなるもの以外に、例えば、ペアの線心とドレイン線から構成されたものであっても良い。要は、ノイズ除去用のシールド構造を有するものであれば何でも良い。
【００１９】
このシールド電線１１の外周部にはグロメット１９が装着されており、このグロメット１９の拡径部１５、１６は外周部に車体パネル２１、２２の取付け孔の内周部に嵌合可能な環状凹部１５ａ、１６ａが形成されているとともに、蛇腹部１７を介して接続されている。また、グロメット１６には舌部１６ｂが形成されており、この舌部１６ｂは後述するテープ巻回用のものである。
【００２０】
一方、コネクタ１４からグロメット１９の拡径部１５、１６の装着部分までの編組シールド１３は剥ぎ取られて電線１２が露出しており、この露出部分Ｂにはアルミ箔１８ａを有するシールド部材１８が装着されている。
【００２１】
なお、電線１２と編組シールド１３の外周部には公知のようにシースが設けられているが、本実施形態では、編組シールド１３と電線１２の露出部を分かり易くするためにシースの図示を省略している。
【００２２】
また、シールド部材１８は、電気絶縁材料からなる外周部のチューブ１８ｂ内にシールド効果のあるアルミ箔１８ａが設けられており、柔軟なチューブを構成している。このアルミ箔１８ａは一端部がコネクタ１４に位置するとともに拡径部１５、１６の内周部を通して他端部が編組シールド１３まで延在しており、他端部が編組シールド１３にテープ２０によって固定されている。この際、拡径部１６に設けられた舌部１６ｂにテープ２０を取付けることにより、編組シールド１３がアルミ箔１８ａに固定されるのと同時に拡径部１６がシールド電線１１に固定される。
【００２３】
このような構成を有するシールド電線１１にあっては、コネクタ１４から拡径部１５、１６の装着部分までの電線１２の露出部分Ｂにアルミ箔１８ａを装着したため、シールド電線１１に蛇腹部１７を有するグロメット１９を装着して蛇腹部１７に位置する部位を屈曲させた場合にシールド部材１８を屈曲させることができる。
【００２４】
このとき、アルミ箔１８ａが編組シールドのように素線同士が摩擦して破断することがないため、シールド性能が低下するのを確実に防止することができる。
【００２５】
また、シールド部材を軽量、かつ安価なアルミ箔（金属箔）１８ａから構成したため、シールド電線１１の重量が増大するのを防止することができるとともに、コストが増大するのを防止することができる。
【００２６】
また、本実施形態では、グロメット１９内の編組シールド１３を剥ぎ取って電線１２を露出させ、この露出部分にアルミ箔１８ａを装着するようにしているので、露出部分にアルミ箔１８ａを装着してシールド電線１１をグロメット１９に確実に取付けることができる。
【００２７】
また、本実施形態では、チューブ１８ｂ内にアルミ箔１８ａを設けているが、アルミ箔１８ａ単体であっても良い。
【００２８】
なお、本実施形態では、円筒状のアルミ箔１８ａを用いているが、これに限らず、図２に示すように平板状のシート３１ｂの一面にアルミ箔３１ａを設け、シート３１ｂの側面に接着材３１ｃを塗布し、電線１２の露出部分Ｂにアルミ箔３１ａを設けたシート３１ｂをテープ巻するためのシールド部材３１を用いても良い。
【００２９】
【発明の効果】
請求項１記載の発明によれば、シールド電線の屈曲部がシールド部材で保護されて破断することがないため、シールド性能が低下するのを確実に防止することができる。
【００３０】
請求項２記載の発明によれば、軽量、かつ安価な金属箔を使用することにより、シールド電線の重量が増大するのを防止することができるとともに、コストが増大するのを防止することができる。
【００３１】
請求項３記載の発明によれば、露出部分にシールド部材を装着してシールド電線をグロメットに確実に取付けることができる。
【図面の簡単な説明】
【図１】本発明に係るシールド電線の一実施形態を示す図であり、（ａ）はアルミ箔が装着されたシールド電線の外観図、（ｂ）はグロメットが装着されたシールド電線を車体パネルに取付けた状態を示すその外観図である。
【図２】（ａ）は一実施形態のシールド部材の構成図、（ｂ）はシールド部材の他の形状を示す図である。
【図３】グロメットが装着された従来のシールド電線の外観図である。
【符号の説明】
１１    シールド電線
１２    電線
１３    編組シールド
１４    コネクタ
１５、１６    拡径部
１７    蛇腹部
１８ａ、３１ａ    アルミ箔
１８    シールド部材
１９    グロメット
【図１】
0003622636.tif 000002
【図２】
0003622636.tif 000003
【図３】
0003622636.tif 000004